(57)【要約】【課題】排気時に噴き出した水の殆どを速やかに外部に排出し、遊動弁体と環状の蓋との錆び着きを抑えて、遊動弁体の適正な作動を確保することができるとともに、カバーを取り外す煩雑かつ困難な作業を不要にして、水漏れ点検作業を容易に行うことができる空気弁を提供する。【解決手段】環状の蓋７の周壁部７Ａには、半径方向にのびる溝状の排水路１３を凹設する。この溝状の排水路１３によって、排気時に噴き出した水Ｗが遊動弁体５による空気孔９の閉塞時に遊動弁体５の外周面と環状の蓋７の内周面との間に形成される環状のくぼみ１２に溜まった水Ｗの殆どを弁箱２の外部に排出する。【選択図】        図１
2004197885.tif 000002
【特許請求の範囲】
【請求項１】
通水管に連通する入口を設けた弁箱と、この弁箱内に収容されたフロ−ト弁体と、このフロ−ト弁体の上部に被せられて前記弁箱内でフロ−ト弁体とともに昇降する遊動弁体とを有し、前記弁箱の上端部に前記遊動弁体の上昇により閉塞され、かつ該遊動弁体の下降により開放される空気孔を設けた環状の蓋が備わっている空気弁において、前記空気孔の閉塞状態で遊動弁体の外周面と環状の蓋の内周面との間に形成される環状のくぼみを弁箱外部に連通させる排水路が前記蓋に設けられていることを特徴とする空気弁。
【発明の詳細な説明】
【０００１】
【発明の属する技術分野】
本発明は、通水管の吸・排気を行う空気弁に関する。
【０００２】
【従来の技術】
通水管の吸・排気を行うために通水管に連通して取付けられる空気弁は、図４に示すように、通水管１に下端部の入口２Ａを連通させて取付けられる弁箱２と、この弁箱２の内部に収容されたフロ−ト弁体３と、このフロ−ト弁体３に被冠されてフロ−ト弁体３とともにフロートガイド４を案内に昇降する遊動弁体５を備え、遊動弁体５の外周縁部上面が弁体シ−ト５Ａとして機能するようになっている。
【０００３】
弁箱２の上端開口部に環状の支持面２Ｂが形成され、この環状の支持面２Ｂでフロートガイド４の径外方向に少し張出す上端周縁部４Ａを支持することによって、弁箱２の内部にフロートガイド４を吊持している。なお、フロートガイド４の底部に小さい透孔４Ｂが設けられ、上端部の近傍には円周方向等間隔で複数の通水窓４Ｃを開口してある。
【０００４】
弁箱２の上端開口部には、複数本のボルト８によって環状の蓋７が取付けられ、この環状の蓋７に下面とフロートガイド４の上端面とでゴムなどの弾性材料によってなる環状の空気孔弁座６を挟着している。したがって、弁箱２の上端部には、環状の蓋７の内径ｄに相当する空気孔９が開口している。なお、図中１０は小空気孔、１１はカバーを示す（たとえば、特許文献１参照。）。
【０００５】
前記構成の空気弁によれば、通水管１への通水前段状態では、フロ−ト弁体３および遊動弁体５は、実線で示す位置でフロートガイド４に保持されて空気孔９を開放している。したがって、通水管１への通水が開始されると、通水管１内の空気は弁箱２からフロートガイド４の通水窓４Ｃおよび空気孔９を通って外部に急速排気される。また、通水管１への通水によって弁箱２内に流入した水は、透孔４Ｂおよび通水窓４Ｃからフロートガイド４に流入する。これにより、フロ−ト弁体３に浮力が生じてフロ−ト弁体３および遊動弁体５をフロートガイド４に沿って浮上させる。フロ−ト弁体３および遊動弁体５が二点鎖線で示す弁閉位置まで上昇すると、遊動弁体５の弁体シ−ト５Ａが空気孔弁座６に密着して空気孔９を閉塞するとともに、フロ−ト弁体３が小空気孔１０を閉塞することによって止水される。
【０００６】
【特許文献１】
特開２００２−１９５４３３号公報（図２）
【０００７】
【発明が解決しようとする課題】
ところで、この種の空気弁では、通水管１内が満水になった場合や圧力下排気時には、フロ−ト弁体３および遊動弁体５が二点鎖線で示す弁閉位置まで上昇して空気孔９を閉塞しているので、図５に示すように、排気時に噴き出した水Ｗが遊動弁体５の外周面と環状の蓋７の内周面との間に形成される環状のくぼみ１２に溜まる。噴き出し水量が少ない場合には、比較的短時間で蒸発するので問題を生じることはない。しかし、噴き出し水量が多くなると、環状のくぼみ１２に水Ｗが溜まったままで長時間放置されるおそれを有する。また、環状のくぼみ１２に水Ｗが溜まったままで長時間放置されると、環状の蓋７と遊動弁体５との接触部に錆が発生して、遊動弁体５を環状の蓋７に錆び着かせて遊動弁体５の適正な作動が妨げられるおそれを有している。
【０００８】
一方、従来の空気弁では、通水試験時などにおいて微量水漏れが生じても、この微量な水漏れを外部から確認することができないので、カバー１１を外して点検する必要があった。ところが、空気弁は、通常、一本の通水管１に複数個点在して設置されるので、設置されている全ての空気弁のカバー１１を取り外す煩雑な作業が要求されるばかりか、空気弁を収容している空気弁ボック（図示省略）が小さい場合には、スパナなどの工具の使用スペースが小さく制限されるので、カバー１１の取り外しが困難になって水漏れ点検作業を困難にしていた。
【０００９】
本発明は、このような事情を考慮してなされたもので、排気時に噴き出した水の殆どを速やかに外部に排出し、遊動弁体と環状の蓋との錆び着きを抑えて、遊動弁体の適正な作動を確保することができるとともに、カバーを取り外す煩雑かつ困難な作業を不要にして、水漏れ点検作業を容易に行うことができる空気弁を提供することを目的としている。
【００１０】
【課題を解決するための手段】
前記目的を達成するために、本発明に係る空気弁は、通水管に連通する入口を設けた弁箱と、この弁箱内に収容されたフロ−ト弁体と、このフロ−ト弁体の上部に被せられて前記弁箱内でフロ−ト弁体とともに昇降する遊動弁体とを有し、前記弁箱の上端部に前記遊動弁体の上昇により閉塞され、かつ該遊動弁体の下降により開放される空気孔を設けた環状の蓋が備わっている空気弁において、前記空気孔の閉塞状態で遊動弁体の外周面と環状の蓋の内周面との間に形成される環状のくぼみを弁箱外部に連通させる排水路が前記蓋に設けられていることを特徴としている。
【００１１】
本発明によれば、排気時に噴き出した水が遊動弁体による空気孔の閉塞時に遊動弁体の外周面と環状の蓋の内周面との間に形成される環状のくぼみに溜まっても、その殆どを排水路から速やかに排出することができる。また、通水試験時などにおいて生じた微小な水漏れは排水路から排出されることになるので、カバーを取り外すことなく外部から確認することができる。
【００１２】
【発明の実施の形態】
以下、本発明の一実施の形態を図面に基づいて説明する。図１は、本発明の一実施の形態を示す縦断面図、図２は環状の蓋の平面図である。なお、前記図４および図５の従来例と同一部分には同一の符号を付して、重複した構造説明は省略する。
【００１３】
図１および図２において、環状の蓋７の周壁部７Ａには、半径方向にのびる一つの溝状の排水路１３が凹設されている。この溝状の排水路１３は、図１に示すように、その底部１３Ａが半径方向内側から外側に向かって下がり勾配で緩やかに傾斜しているとともに、図２に示すように、両側壁１３Ｂ，１３Ｂの対向間隔が半径方向内側から外側に向かって漸次狭められている。
【００１４】
このような構成であれば、排気時に噴き出した水Ｗが遊動弁体５による空気孔９の閉塞時に遊動弁体５の外周面と環状の蓋７の内周面との間に形成される環状のくぼみ１２に溜まっても、その殆どを排水路１３から速やかに排出することができる。つまり、環状のくぼみ１２に溜まった水Ｗの全量において、斜線で示される大量の水Ｗ１が排水路１３から排出され、クロス斜線で示される少量の水Ｗ２のみが残留することになる。このように、少量の水Ｗ２が残留しても比較的短時間で蒸発する。したがって、環状のくぼみ１２に水Ｗが溜まったままで長時間放置される状態が回避され、環状の蓋７と遊動弁体５との接触部の錆び着きを抑えて、遊動弁体５の適正な作動を確保することができる。
【００１５】
また、通水試験時などにおいて生じた微小な水漏れは、排水路１３から排出されることになるので、従来のように、カバー１１を取り外す煩雑かつ困難な作業を不要にして、微量水漏れを確実に確認することができるから、通水試験時における空気弁の水漏れ点検作業を容易に行うことができる。
【００１６】
なお、前記実施の形態では、環状の蓋７の周壁部７Ａに、半径方向にのびる一つの溝状の排水路１３を凹設した構成で説明しているが、排水路１３の数は一つのみに限定されるものではなく複数であってもよい。また、上面を開放した溝状の排水路１３で説明しているが、図３に示すように、閉断面構造の排水路１３であってもよい。
【００１７】
【発明の効果】
以上説明したように、本発明の空気弁は構成されているので、以下のような格別の効果を奏する。
【００１８】
すなわち、排気時に噴き出した水が遊動弁体による空気孔の閉塞時に遊動弁体の外周面と環状の蓋の内周面との間に形成される環状のくぼみに溜まっても、その殆どを排水路から速やかに排出することができるので、環状のくぼみに水が溜まったままで長時間放置される状態が回避され、環状の蓋と遊動弁体との接触部の錆び着きを抑えて、遊動弁体の適正な作動を確保することができる。また、通水試験時などにおいて生じた微小な水漏れは排水路から排出されることになるので、従来のように、カバーを取り外す煩雑かつ困難な作業を不要にして、微量水漏れを確実に確認することができるから、通水試験時における空気弁の水漏れ点検作業を容易に行うことができる。
【図面の簡単な説明】
【図１】本発明の一実施の形態を示す縦断面図である。
【図２】環状の蓋の概略平面図である。
【図３】排水路の他の実施の形態を示す縦断面図である。
【図４】従来例を示す縦断面図である。
【図５】水が環状のくぼみに溜まった状態を示す縦断面図である。
【符号の説明】
１  通水管
２  弁箱
２Ａ  入口
３  フロ−ト弁体
５  遊動弁体
７  環状の蓋
９  空気孔
１２  環状のくぼみ
１３  排水通路
【図１】
2004197885.tif 000003
【図２】
2004197885.tif 000004
【図３】
2004197885.tif 000005
【図４】
2004197885.tif 000006
【図５】
2004197885.tif 000007